(57)【要約】使用機会毎に配置可能でありかつ抽出に供される芳香混合物（１１）を収容するのに適したフィルタ容器（１３）に回路（２２）を介して流体接続された少なくとも水の供給源（１２）を備える、飲料を調整するための装置であって、前記供給源（１２）から前記フィルタ容器（１３）に水を供給するためのポンプ（３０）と、前記水用の加熱装置（２１）と、前記加熱装置（２１）の下流の前記回路（２２）内の前記水の温度を測定するのに適した温度センサ手段（２８）と、制御およびコマンドユニット（３４）とを備える装置。
2021504006.tif 000002
【特許請求の範囲】
【請求項１】
使用機会毎に配置可能かつ抽出に供される芳香混合物（１１）を収容するのに適したフィルタ容器（１３）に回路（２２）を介して流体接続された少なくとも水の供給源（１２）を備える、飲料を調製するための装置であって、前記供給源（１２）から前記フィルタ容器（１３）に水を供給するために前記回路（２２）に沿って配置されたポンプ（３０）と、前記水を加熱するための加熱装置（２１）と、前記加熱装置（２１）の下流の前記回路（２２）内の前記水の温度を測定するのに適した温度センサ手段（２８）と、調製する飲料の種類および量を選択するためのユーザインターフェース（３５）に機能的に接続された制御およびコマンドユニット（３４）であって、前記温度センサ手段（２８）によって検出されたデータを受け取るように構成され、かつ加熱された水の温度を最適化するために前記ポンプ（３０）および前記加熱装置（２１）の機能を調整するように構成された制御およびコマンドユニット（３４）とを備え、前記加熱装置（２１）は、導管（２５）を有するボイラー（２４）を備え、該導管（２５）の内部には水用の通路（２５ａ）が形成され、該導管（２５）は、第１の小さい分岐（２４ａ）と第２の大きい分岐（２４ｂ）を有し、前記第２の大きい分岐（２４ｂ）は、実質的に垂直方向に沿って延びるとともに、前記供給源（１２）から前記フィルタ容器（１３）への経路に沿って前記小さい分岐（２４ａ）の下流に配置され、前記小さい分岐（２４ａ）は少なくとも１つの実質的に水平な部分を有し、該部分は前記大きい分岐（２４ｂ）に対して角度を有することを特徴とする、装置。
【請求項２】
前記ボイラー（２４）が実質的にＬ字形であることを特徴とする、請求項１に記載の装置。
【請求項３】
前記ボイラー（２４）が実質的にＪ字形またはＵ字形であり、前記第１の小さい分岐（２４ａ）が、前記第２の大きい分岐（２４ｂ）に実質的に平行な垂直方向に沿って少なくとも部分的に延びる、請求項１に記載の装置。
【請求項４】
前記ボイラー（２４）が、水の経路に沿って前記第２の大きい分岐（２４ｂ）の上流に配置された水の蓄積領域（２４ｃ）を備えることを特徴とする、請求項１に記載の装置。
【請求項５】
前記ボイラー（２４）が、前記導管（２５）に関連付けられ、該導管（２５）の内部の水を加熱するように構成された少なくとも加熱要素（２６）を備えることを特徴とする、請求項１乃至４の何れか一項に記載の装置。
【請求項６】
前記加熱装置（２１）が、前記ボイラー（２４）に関連付けられた２つの加熱要素（２６，２７）を備え、前記加熱要素（２６，２７）が、前記制御およびコマンドユニット（３４）によって、互いに対して自律的かつ独立して選択的に作動可能であることを特徴とする、請求項１乃至５の何れか一項に記載の装置。
【請求項７】
前記加熱要素（２６，２７）が異なる出力を有することを特徴とする、請求項４に記載の装置。
【請求項８】
前記ポンプ（３０）の上流に配置され、前記制御およびコマンドユニット（３４）に接続された流量計（３２）を備えることを特徴とする、請求項１乃至７の何れか一項に記載の装置。
【請求項９】
使用機会毎に配置可能でありかつ抽出に供される芳香混合物を収容するのに適したフィルタ容器（１３）に回路（２２）によって流体的に接続された水源（１２）を有する、飲料を調製するための装置（１０）で飲料を調製するための方法（１１）であって、
制御およびコマンドユニット（３４）において、ユーザインターフェース（３５）によってユーザが調製しようとする飲料の官能特性および量に関するコマンドを受け取ることと、
加熱装置（２１）を通って少なくとも温度センサ手段（２８）まで前記回路（２２）内に水を供給するためにポンプ（３０）を作動させることと、
選択された飲料の関数として、前記回路（２２）内の水を加熱する少なくとも温度値を決定することと、
前記ポンプ（３０）を停止し、前記温度センサ手段（２８）によって検出された加熱水の温度が、決定された前記温度値に対応するまで内部の水を予熱するために前記加熱装置（２１）を作動させることと、
芳香混合物（１１）の抽出を行うために、加熱した水を前記フィルタ容器（１３）に供給すべく前記ポンプ（３０）を再び作動させて、前記量の選択された飲料を容器（１５）に供給することと、
飲料の給送動作の最後に、前記装置（１０）の状態を回復し、前記回路（２２）から残留水を取り除くことと
を備えることを特徴とする方法。
【請求項１０】
前記装置（１０）の状態を回復するステップは、前記ポンプ（３０）を停止させて、前記回路（２２）を空にすることおよび前記回路（２２）を乾燥させることのうち少なくとも一方に適した期間にわたって前記加熱装置（２１）を作動させ続けることを提供することを特徴とする、請求項９に記載の方法。
【請求項１１】
前記加熱装置（２１）の作動が、二以上の加熱要素（２６，２７）を互いに対して自律的かつ独立して選択的にオンオフすることを提供することを特徴とする、請求項９又は１０に記載の方法。
【請求項１２】
前記ポンプ（３０）の作動は、選択された飲料の種類および量の関数として前記ポンプ（３０）の流量を調整することを含むことを特徴とする、請求項９乃至１１の何れか一項に記載の方法。
【請求項１３】
前記ポンプ（３０）の作動は、前記ポンプ（３０）の流量を前記温度センサ手段（２８）によって検出された温度の関数として調整することを含むことを特徴とする、請求項９乃至１２の何れか一項に記載の方法。
【請求項１４】
前記ポンプ（３０）を選択的に活性化／非活性化して、前記芳香混合物（１１）上にパルス状に水を給送して、前記芳香混合物（１１）からの物質を特にゆっくりと抽出を行うことを特徴とする、請求項９乃至１３の何れか一項に記載の方法。
【発明の詳細な説明】
【技術分野】
【０００１】
本発明は、飲料を調製するのに適した自動または半自動の装置および飲料を調製する方法に関し、コーヒー、お茶、様々な浸出液、または単なる熱湯のような熱い飲み物を調製する装置及び方法に関する。
【背景技術】
【０００２】
アメリカンコーヒーを淹れる装置が知られている。即ち、それは、大量のコーヒーの粉末を熱湯で抽出することによって得られる、「ドリップコーヒー」とも呼ばれるロングコーヒーである。
【０００３】
本出願人は、冷たいか好適には熱いかに関わらず、幅広い飲料を提供するのに適したものにする、というこのような装置を改善する課題を自ら設定した。
現在の装置は、水用のタンクと、水を加熱するための装置と、コーヒー粉末用または熱湯を通過する他の芳香混合物用のフィルタ要素を配置するために適した容器と、エンドユーザのために所定数のカップまたはグラスを満たすのに十分な最大容量を収容するのに一般に適した容器、例えばジャグとを有する。
【０００４】
水差しは通常、ジャグに注がれたコーヒー飲料を高温に保つための独自の加熱手段に関連付けられている。
加熱装置は、一般に、タンクと協働するように、またはタンクの下流に配置され、例えば、タンクの出口をフィルタ容器に接続するパイプに沿って配置される。
【０００５】
加熱装置が作動すると、加熱された水は、対流運動によって、またはポンプ部によって、既知の方法でタンクからフィルタ容器に流される。
混合物は、フィルタ要素内に自動的に導入または装填可能である。粉末混合物を含有するための手段や計量手段、さらには自動装填手段が存在し得る。
【０００６】
また、そのような装置は一般に、有用な量の温水や必要な量の温水をフィルタ容器に提供したり、タンクを空にしたりするように構成および編成されていることも知られている。
【先行技術文献】
【特許文献】
【０００７】
【特許文献１】国際公報第２０１６／０３４２５５号
【特許文献２】国際公開第２００８／００７３０６号
【特許文献３】国際公開第２０１４／１９５８４２号
【発明の概要】
【発明が解決しようとする課題】
【０００８】
これらの装置には、いくつかの制限や欠点がある。
最初の欠点は、装置が一定量の抽出飲料を提供することである。
別の欠点は、それら装置が一般にコーヒーをベースとする浸出飲料のみを提供するように構成されているため、それら装置がお茶ベースまたは他の植物物質の浸出飲料を供給するように構成されていないことである。
【０００９】
さらに、そのような装置は、ジャグやタンクのサイズに関して部分的な量を供給することができない。
既知の装置の他の欠点は、それら装置が水のみを供給するのに適していないことである。
【００１０】
このような問題を部分的に解決するために、「ドリップコーヒー」タイプの飲料を供給する装置が知られており、抽出された飲料の量およびその浸出の程度を選択可能な機能を提供する。
【００１１】
例えば、加熱手段の動作を調整することにより、供給される水の量を制御する装置が知られている。しかしながら、対流運動は一般に信頼できないため、そのような解決策は、ユーザが行った選択に関して供給される水の量を正確に制御することはできない。
【００１２】
例えば、ポンプによって供給される水の量を制御する装置が知られている。しかしながら、これらの解決策も、各飲料を調製するために特定の量の水を供給することを保証するものではない。
【００１３】
また、既知の解決策は、事前浸出ステップを実行し、場合毎に水の量や事前浸出時間を調整することによって、供給される飲料の強度を制御することである。
しかしながら、事前浸出ステップを設けると、抽出された飲料を提供するのに要する時間が増加するため、「高品質」の認証パラメータによって要件として通常設定されている時間を超える可能性がある。
【００１４】
さらに、事前浸出に要する期間に水の供給が一時停止すると、供給される水の熱量が低下し、調製された抽出飲料の味の質に影響を与える。
特許文献１によれば、飲料、特にエスプレッソタイプのコーヒーまたは「カプチーノ」を調製するための装置および方法が知られており、この装置は、抽出チャンバと、タンクから抽出チャンバに水を供給するためのポンプと、水を加熱する２つの加熱要素と、加熱要素を独立して作動させるコントローラとを備える。この解決策は、浸出前に水が到達する温度の制御の特定の多様性を提供する一方で、加熱された水の熱損失の問題を解決せず、行程の効率に関して限界を有する。
【００１５】
特許文献２は、ある量の水を加熱するボイラー、ポンプ、およびボイラー内の水を加熱する加熱要素を備える、温かい飲料を調製するための装置を開示している。サーモスタットが水が目的の温度に達したことを検出すると、ポンプが始動する。
【００１６】
特許文献３は、加熱要素と、加熱要素に接続された温度センサと、加熱要素およびサーモスタットに接続された制御ユニットと、ポンプとを備える、高温の液体または蒸気を瞬時に調製するための装置に言及している。
【００１７】
さらに、既知の解決策は、一般にコーヒー飲料の調製にのみ適しており、飲料の各調製行程であっても、簡単かつ迅速に水温を変更して異なる種類の芳香混合物に適用することができない。
【００１８】
さらに、既知の装置では、所望の飲料の調製の終わりに、タンクをフィルタ要素に接続する流体回路内に一定量の残留水が残っている可能性があり、水が一定期間内に留まる場合、風味や衛生の問題を引き起こす可能性がある。
【００１９】
さらに、前回の調製の残りの水の量は、供給された水の測定値を歪める可能性があり、その結果、事前に定義された特性が変更された抽出飲料が生じる可能性がある。
したがって、本出願人は、この種の装置の機能および機能性を拡張すると同時に、調整行程の効率を改善し、上記で明らかにした不利な点などを回避する目的を設定した。
【００２０】
本発明の第１の目的は、ユーザが要求する量の飲料を正確に供給することである。
別の目的は、所望の濃度で飲料を供給することである。
ユーザによるこの装置の使用を容易にし、簡素化することも別の目的である。
【００２１】
別の目的は、各飲料調製の終わりにその初期状態をリセットし、使用の都度正確な方法で各操作に必要な量の水の供給を確実にする装置を提供することである。
本発明の別の目的は、要求に応じて、供給される水温を動的に調節することができる装置を提供することである。
【００２２】
本発明の別の目的は、飲料に要求される官能特性に従って、供給される水の温度を調整することができる装置を提供することである。
本発明のさらに別の目的は、一方では熱損失を低減することを可能にし、他方では水を正確な所望の温度で毎回確実に供給することを可能にする装置を提供することである。
【００２３】
本発明の別の目的は、水加熱の効率を最適化することである。
また、本発明の目的は、エネルギ消費を最小限に抑え、水が通過するパイプに沿って起こり得る水のよどみにより供給される飲料の汚染を防ぐことができる装置を提供することである。
【００２４】
出願人は、最新技術の欠点を克服し、上記の目的および他の目的ならびに効果を得るために、本発明をなし、試験し、具体化した。
【課題を解決するための手段】
【００２５】
本発明は、独立請求項に記載され、特徴付けられているが、従属請求項は、本発明の他の特徴または主要な発明の思想の変形例を説明している。
上記の目的に従って、ここで説明する実施形態は、ユーザが必要とする飲料に関して、必要な量の水、または必要な量の水を毎回供給することを可能にする飲料を調製するための装置に関する。
【００２６】
また、本発明による装置は、必要な飲料に応じて、加熱された水の温度、または温度を、その都度最適化することを可能にする。
本発明による装置は、特に、ユーザが、インターフェースを用いて、特定のタイプの飲料、例えば、正確な官能特性を有する飲料を選択できることを提供する。
【００２７】
例えば、いくつかの実施形態によれば、ユーザは、コーヒー飲料を選択し、その濃度または強度、例えば、軽い、通常の、または強い、場合によっては供給される飲料の量を指定し、容器のサイズを選択することができる。たとえば、ジャグ、カップ、マグカップ、グラス、またはサイズの異なる容器が使用可能である。
【００２８】
装置は、既知のタイプの水タンクを備えており、定期的または継続的に、毎回満たすことができます。
水が水タンク内に存在する可能性があることを示す手段。この手段は、信号伝達手段とタンクへの水供給を制御する手段とのうち少なくとも一方に関連付けられている。
【００２９】
変形例によれば、タンクの代わりに、またはタンクに関連して、連続的な水源が提供されてもよい。
タンクが連続的な水源に関連付けられている場合、ユーザが優先する供給源をタンクまたは直接かで選択することができる。
【００３０】
タンクは、有利には、少なくとも１つの回路によって、芳香混合物を収容するのに適したフィルタ容器と流体連通して配置される。
いくつかの実施形態によれば、フィルタ容器は標準であってもよく、すなわち、それぞれの場合に所望の量の芳香混合物を収容するのに適し得る。
【００３１】
例えば、芳香混合物は、コーヒー、茶、または他の植物性物質などの粉末状混合物および／または葉またはその一部における所望の粒径を有することができる。
別の変形例によれば、装置は、タンクから水を汲み上げてフィルタ容器に供給するのに適したポンプを備える。
【００３２】
別の変形例によれば、ポンプは、好適には流量を調整可能かつ制御可能である。
本発明のいくつかの実施形態によれば、タンクとフィルタ容器との間に、供給される水量を制御するのに適した器具が設けられている。
【００３３】
水路に沿って、給送中の水を加熱する装置も設けられる。
他の実施形態によれば、加熱装置はボイラーを含む。
いくつかの実施形態によれば、ボイラーは、少なくともその長手方向に延びる部分の大部分に沿って配置された少なくとも１つの加熱要素に関連する少なくとも１つの通路を備える。
【００３４】
変形例によれば、通路の内壁は、水中に存在する石灰岩の沈殿を許容しない材料で裏打ちされている。
しかしながら、加熱要素およびボイラーの組み合わせは、所望の温度で提供される増加した水の供給をサポートするのに十分である。
【００３５】
変形例によれば、加熱要素は、特定の送達に関してのみ作動する。
別の変形例によれば、加熱要素は常に作動する。
別の変形例によれば、加熱要素は常に作動するが、例えば、供給機能と待機機能との間で異なる加熱能力を有する。
【００３６】
スタンバイ機能中に設定された基本温度に従って、加熱要素が作動しているか、または作動可能であるし得ることを提供することは、別の変形例である。
いくつかの実施形態によれば、ボイラーは、加熱効率を最適化し、熱損失を最小限に抑える態様で、少なくとも実質的に垂直な延長部を有する。
【００３７】
他の実施形態によれば、ボイラーはその内部に水用の貯留領域を有する。
他の実施形態によれば、ボイラーは、自律的で互いに独立した２つの加熱要素を備え含み、特定の要件に関連して選択的に作動および／または停止することができる。
【００３８】
いくつかの実施形態によれば、供給された水が所望の温度を有するように制御するために、センサ手段が提供される。
温度制御のためのセンサ手段は、ボイラーの下流に、またはボイラーの末端部分に対して配置可能である。
【００３９】
いくつかの実施形態によれば、本発明による装置は、ユーザによって選択された飲料に応じて、１以上の部品を対象として、その機能を調整するように構成された制御およびコマンドユニットを備える。
【００４０】
いくつかの実施形態によれば、制御およびコマンドユニットは、センサ手段と通信して、ユーザが行った飲料選択に従って送出される水の温度を調整するように機能を調整する。
【００４１】
変形例によれば、装置は、インターフェースによってユーザが選択した特定の飲み物に応じて、１以上の構成要素（ポンプ、加熱装置、浸出時間など）の機能パラメータを変更することができる。
【００４２】
別の変形例によると、装置は、浸出される芳香混合物の種類、ならびに調製する飲料の量および種類に関連して、つまりユーザの要求に応じて、シャワー、噴流、またはミストで所望の温度で水を供給するように構成された拡散ヘッドを備える。
【００４３】
変形例によれば、装置は、容器の最大容量を規定するのに適した手段を有し、該手段は様々なタイプの容器を使用できるように提供される、
別の変形例によれば、ユーザに有用な体積を示す手段が提供され、それにより、ユーザは、容器の充填の程度、すなわち物理量を示すことができる。
【００４４】
この場合、ユーザが使用できる手段には、ユーザが容器に供給された飲料を充填する度合いを示す可能性も含まれる。
一変形例によれば、抽出された飲料を作るのに適した香り混合物のフィルタ容器は、ユーザが毎回必要とする程度の浸出を得るために制御された供給手段を有することができる。
【００４５】
変形例によれば、注がれるジャグの下に配置可能な加熱手段は、ユーザが選択した飲料の特性に影響され得る。
ここで説明する実施形態は、ユーザが選択した感応特性を備えた特定の量の飲料を調製する方法にも関する。
【００４６】
本発明に係る方法は、ユーザが所望の飲料を選択したときに、飲料を調製するための処理が開始されることを提供する。
この方法は、調製の開始時に、最初にポンプを作動させてボイラーを加熱する水で満たして温度センサ手段に到達させ、その後ボイラー内の水が選択した飲料に一致する温度に達するまで加熱要素を作動させる。
【００４７】
このようにして、前回の飲料の調製から経過した時間に関係なく、飲料は常に望ましい温度で供給される。
いくつかの実施形態によれば、温度センサ手段が特定の温度に対応する加熱水の温度を検出すると、制御およびコマンドユニットは、ポンプを再び駆動して、行われた選択に対応する量の水をフィルタ容器および出口に供給する。
【００４８】
変形例によれば、行われた選択に基づいて、制御およびコマンドユニットは、ユーザによって選択された官能特性および温度のうち少なくとも一方に従って、様々な操作コンポーネントを事前処理する。
【００４９】
他の実施形態によれば、飲料の供給の終わりに、方法は、選択された各飲料について、使用する度に水を正しい特定の温度に加熱することと、定義された量の水を提供することとを保証するように、装置の初期状態を復元することを提供する。
【００５０】
他の実施形態によれば、飲料の供給の終わりに、この方法は、ポンプを非作動とし、対流運動によって回路を空にし、場合によっては回路の中に残っている水を乾燥させるために、加熱装置を一定時間作動させたままにすることを提供する。
【００５１】
このようにして、起こり得る残留水が回路内に残り、その後の飲料抽出操作で抽出される水の量の測定値がずれることが防止される。
ポンプの下流で回路を乾燥させることにより、実際には、各飲料調製操作でフィルタ要素に供給される水が、ユーザが行った選択によって実際に必要とされる水に確実に対応するため、不適切な希釈または過度に希釈された調製の両方を回避し、飲料、およびユーザが選択して使用する容器に対して過剰な量の液体を供給することを回避する。
【００５２】
変形例によれば、定期的に、または制御およびコマンドユニットから受信された信号に関連して、この方法は、ボイラーを洗浄して沈殿物を除去する機能を提供することができる。
【図面の簡単な説明】
【００５３】
【図１】図１は、本明細書に記載の実施形態に係る、飲料を調製するための装置の概略図である。
【図２】図２は、図１の飲料調製機の構成要素の詳細な概略図である。
【図３】図３は、本明細書に記載の実施形態に係る、飲料を調製するための装置の概略図である。
【発明を実施するための形態】
【００５４】
図１を参照してここで説明される実施形態は、粉末状または粉砕された芳香混合物１１から、抽出、浸出または水と混合することにより、温かいまたは冷たい飲料を調製および供給するための装置１０に関する。
【００５５】
いくつかの実施形態によれば、本発明に係る装置１０は、ユーザが、ユーザインターフェース３５を用いて、調製する飲料の種類および量を選択することを可能にする。
いくつかの実施形態によれば、ユーザインターフェース３５は、圧力キー、選択ノブ、および／またはタッチスクリーンを備えることができ、それによって、ユーザは、例えば、軽い、普通、または強いの間で、供給される飲料の強度を選択することができ、飲料の量、すなわち、ジャグ、ハーフジャグ、カップ、マグ、ガラスなどの使用される容器１５のサイズを選択することができる。
【００５６】
装置１０は、浸出される芳香混合物１１を収容するのに適したフィルタ容器１３と、抽出された飲料を適切な容器１５に供給可能な飲料１４の出口とに流体接続された、水用のタンク１２を備える。
【００５７】
いくつかの実施形態によれば、飲料１４の出口は供給手段４１、例えば弁４８に関連付けられ、供給手段４１は、飲料１４の出口を開閉することと、供給手段４１を通る流量を調整するために選択的に作動可能である。
【００５８】
タンク１２は、一般に、飲料を調製するために特定の量の水を収容するように構成された容器である。例えば、タンク１２の容量は、少なくともジャグを満たすのに必要な水の量に等しくてもよい。
【００５９】
タンク１２には、蓋６０と関連する導入開口１２ａを設けることができ、そこから水を導入することができ、出口開口１７から、毎回所望の量の水を取り出すことができる。
いくつかの実施形態によれば、タンク１２は、洗浄および／または充填のために、装置１０のハウジング２０の内側に配置されたり、ハウジング２０に取り外し可能に取り付けられる。
【００６０】
変形例によれば、タンク１２は、連続的な水源に関連付けられてもよい。
いくつかの実施形態によれば、混合物用のフィルタ容器１３は漏斗形状を有することができ、芳香混合物１１の固体を保持するのに適したフィルタ要素１８をその中に挿入して、それらが浸出された飲料と共に供給されるのを防ぐことができる。
【００６１】
いくつかの実施形態によれば、抽出された飲料を容器１５に供給する前に、芳香混合物１１を一定時間浸出したままにするために、手動または自動の閉鎖弁４８をフィルタ容器１３に設けることができる。
【００６２】
いくつかの実施形態によれば、使用の度に、所望の量の芳香混合物１１を導入することと、調製された飲料の送出終了時にフィルタ要素１８とともに芳香混合物１１を除去することとのうち少なくとも一方を行うために、フィルタ容器１３へのアクセスを可能にするように構成されたアクセス手段６１および移動手段のうち少なくとも一方を設けることができる。
【００６３】
いくつかの実施形態によれば、装置１０は、フィルタ容器１３上に配置され、水と芳香混合物１１との間の接触を増大させるように芳香混合物１１上のタンク１２から到達する水を供給するように構成される拡散ヘッド１９を備える。
【００６４】
いくつかの実施形態によれば、拡散ヘッド１９は、シャワー、噴流、ミスト、または場合によっては連続流で水を供給するように構成することができる。
また、装置１０は、タンク１２とフィルタ容器１３との間に配置され、移動中の水を所望の温度に加熱するように構成された加熱装置２１を備える。
【００６５】
いくつかの実施形態によれば、加熱装置２１は、タンク１２を拡散ヘッド１９に接続する流体回路２２に沿って配置される。
いくつかの実施形態によれば、加熱装置２１は、加熱される水用の通路２５ａを形成する少なくとも１つの導管２５を有するボイラー２４、およびそれに関連する少なくとも１つの加熱要素２６を備える。
【００６６】
いくつかの実施形態によれば、通路２５ａは、回路２２の一部を形成する。  可能な解決策によれば、通路２５ａの内壁は、有用な熱交換面を拡張するのに適した形状を有する。
【００６７】
いくつかの実施形態によれば、通路２５ａは、石灰石の堆積を許容しない材料で内部が裏打ちされている。
他の実施形態によれば、ボイラー２４は、少なくとも１つの第１の分岐２４ａおよび少なくとも１つの第２の分岐２４ｂを有する。
【００６８】
第２の分岐２４ｂは、タンク１２から拡散ヘッド１９への水の経路に沿って第１の分岐２４ａの下流に配置される。
いくつかの実施形態によれば、第２の分岐２４ｂまたはそれよりも大きい分岐は、第１の分岐２４ａまたはそれよりも小さい分岐よりも大きい長手方向の延長部を有する。
【００６９】
いくつかの実施形態によれば、２つの分岐２４ａ、２ｂは、共通の直線に沿って整列していないそれぞれの長手方向に延びる長する軸を有する。
換言すると、分岐、特に大きい分岐２４ｂは、すでに述べた理由によって、加えて以下に述べる理由によって、実質的に垂直方向に延びるが、他の分岐、すなわち小さい分岐２４ａは、少なくともより大きな分岐２４ｂに対して角度を有する１つの実質的に水平な部分、または少なくとも部分的に湾曲した部分を有する。
【００７０】
いくつかの実施形態によれば、より大きな分岐２４ｂは、熱損失を最小限に低減するように、垂直方向に配置される。
水が垂直部分を流れるとき、実際には、水は通路２５ａのすべての内壁と直接接触しているので、熱交換面が最大になる。
【００７１】
反対に、水平部分では、供給された水の圧力および流量のうち少なくとも一方が十分に高くない場合、供給された水の量が通路２５ａの部分を満たすのに不十分であるため、使用可能な熱交換面が減少する。
【００７２】
特にボイラー２４の入口は、その出口よりも低い高さに配置されている。
いくつかの実施形態によれば、より大きな分岐２４ｂの長さは、回路２２の全体的な垂直延長部に対して支配的である。換言すれば、より大きな分岐２４ｂは、回路２２の垂直方向の長手方向の延長部の大部分にわたって延びる。
【００７３】
いくつかの実施形態によれば、より大きな分岐２４ｂは、より大きな分岐２４ｂの下流の熱損失を排除するかまたは少なくともできるだけ少なくするように、実質的に拡散ヘッド１９の近くまで延在する。
【００７４】
このようにして、フィルタ容器１３に供給される水が、毎回、所望の必要な温度になることが保証される。
いくつかの実施形態によれば、ボイラー２４はＬ字型とすることができ、小さい方の分岐２４ａが少なくとも部分的に水平方向に沿って配置され、大きい方の分岐２４ｂが実質的に垂直に延びる。
【００７５】
可能な実施形態によれば、ボイラー２４は、ボイラー２４内に存在する可能性のある水残留物を水の供給の終わりに回収することができる蓄積領域２４ｃを有する。
蓄積領域２４ｃは、好ましくは、水の経路に沿ってより大きな垂直の分岐２４ｂの上流に配置される。
【００７６】
いくつかの実施形態によれば、例えばボイラー２４がＬ字形である場合、蓄積領域２４ｃはまた、第１の分岐２４ａの少なくとも一部を有することができる。
いくつかの実施形態によれば、ボイラー２４は、両方が垂直方向に沿って配置され、中間接続領域を画定する蓄積領域２４ｃの一方および他方に位置する２つの分岐２４ａ、２４ｂを備えることができる。
【００７７】
可能な変形実施形態によれば、ボイラー２４は、Ｕ字形またはＪ字形とすることができる。
内部に存在する可能性のある水は蓄積領域２４ｃに蓄積する傾向があり、加熱要素２６を作動させることによって、その水を乾燥させることができるので、Ｕ字形またはＪ字形は特に有利である。
【００７８】
いくつかの実施形態によれば、加熱装置２１は、導管２５の反対側に配置された２つ以上の加熱要素２６，２７を有する。
他の実施形態によれば、加熱要素２６，２７は、ボイラー２４の長手方向の発達の大部分に沿って、直線的にまたは螺旋状に配置された電気抵抗であってもよい。
【００７９】
変形例によれば、加熱要素２６，２７は、加熱要素２６，２７が目標温度に到達するように、または加熱要素２６，２７の温度を調節するように作動させることができる。
いくつかの実施形態によれば、加熱要素２６，２７は、自律的であり、互いに独立している。特に、加熱要素２６，２７は、輸送中の水が加熱されるべき温度に応じて、および／または飲料調製作業の進行状態に応じて、選択的に供給することができる。
【００８０】
いくつかの実施形態によれば、加熱要素２６，２７は同じ電力を有する、すなわち、それぞれが加熱装置２１の全体的な電力の５０％に対応する。
可能な変形例によれば、加熱要素２６，２７は、互いに異なる電力を有し、それにより、加熱温度のさらなる調整を可能にする。
【００８１】
例えば、可能な実施例によれば、加熱要素２６，２７は、例えば、６０％乃至４０％、７０％乃至３０％、７５％乃至２５％、８０％乃至２０％、または中間値などの比例出力を有することができる。
【００８２】
いくつかの実施形態によれば、装置１０は、回路２２に沿って配置され、輸送中の水の温度を検出するように構成された温度センサ手段２８も備える。
いくつかの実施形態によれば、温度センサ手段２８は、ボイラー２４の下流に配置され、芳香混合物１１と接触する領域の近くで輸送中の水の温度を検出する。
【００８３】
可能な変形例によれば、温度センサ手段２８は、ボイラー２４の内部に、可能であれば通路２５ａの出口端に対応して配置することができる。
他の変形例によれば、温度センサ手段２８は、ボイラー２４または加熱装置２１と一体化して提供することもでき、ボイラー２４または加熱装置２１の下流および場合によっては上流にも配置して、加熱要素２１の上流および下流で検出された水温の差に基づき、１つ以上の加熱要素２６，２７の供給を調整することができる。
【００８４】
可能な解決策によれば、温度センサ手段２８は、回路２２の一部を形成するパイプの内側に配置された負の温度係数（ＮＴＣ：Ｎｅｇａｔｉｖｅ  Ｔｅｍｐｅｒａｔｕｒｅ  Ｃｏｅｆｆｉｃｉｅｎｔ）を有する抵抗を有しても良い。
【００８５】
いくつかの実施形態によれば、装置１０は、回路２２に沿って配置され、タンク１２から水を汲み出し、ボイラー２４を通してフィルタ容器１３に向けて水を供給するように構成されたポンプ３０を備える。
【００８６】
いくつかの実施形態によれば、ポンプ３０は、ユーザが選択した量の飲料を調製するのに適した量の水をその都度得られるように選択的に作動させることができる。
いくつかの実施形態によれば、ポンプ３０は、調節可能なフロー型であるため、ボイラー２４および芳香混合物１１を通過する水の速度を調整することが可能である。
【００８７】
いくつかの実施形態によれば、装置１０は、タンク１２内および回路２２の少なくとも一方に沿って配置され、通過する水の量を測定する流れ検出手段を備える。
いくつかの実施形態によれば、流れ検出手段は、流量計３２を備える。
【００８８】
いくつかの実施形態によれば、流量計３２は、ポンプ３０の上流に配置され、流量のより高速かつより効率的な検出が可能であるため、ポンプ３０の動的かつリアルタイムの調整が可能である。
【００８９】
いくつかの実施形態によれば、装置１０は、ユーザが行った選択に基づいて加熱装置２１およびポンプ３０の機能を調整し、選択した飲料の調製に適した温度に水を加熱するように構成された制御およびコマンドユニット３４を備える。
【００９０】
いくつかの実施形態によれば、制御およびコマンドユニット３４は、記憶装置３３を備えるか、または記憶装置３３に接続することができ、記憶装置３３では、ユーザが選択可能な各飲料について、即ち、芳香混合物１１の種類および／または飲料の強度および／または飲料の選択された量に従って定義された各組み合わせについて、最適な温度および／または最適な水の速度の値を記憶することができる。
【００９１】
温度の調節により、コーヒーに加えて、コーヒーに必要なものよりも低い浸出温度を一般に必要とする茶葉ベースの飲料または他の植物性物質を調製することが可能になる。
例として、コーヒー飲料の場合、好ましくは約９２°Cから約９６°Cの水温が必要であるが、お茶を調製するには、使用するお茶の品質に基づき約７０°Cから約９０°Cの水温が好ましい。
【００９２】
図１乃至図３を参照して説明するいくつかの実施形態によれば、制御およびコマンドユニット３４は、温度センサ手段２８および流量計３２によって検出されたデータを受信するために、温度センサ手段２８および流量計３２に接続される。
【００９３】
また、制御およびコマンドユニット３４は受信したデータを、記憶装置３３に記憶された値と比較するように構成される。
調製される飲料の種類および／または量に関してユーザが行った選択に基づき、かつ温度センサ手段２８および流量計３２から受信したデータに基づいて、制御およびコマンドユニット３４は、選択された飲料を得るために、ポンプ３０の流量および／または加熱装置２１の加熱要素２６，２７のオンオフを調整することができる。
【００９４】
いくつかの実施形態によれば、制御およびコマンドユニット３４は、水の流量および温度に関するデータをリアルタイムで受け取り、フィードバック制御により、ポンプ３０および加熱装置２１を動的に調整する。
【００９５】
変形例によれば、制御およびコマンドユニットは、ＰＩＤ型の制御システムによって、または他の適切な手段によって、ポンプ３０の流量を調節し、加熱装置２１を作動させることができる。
【００９６】
これらの実施形態によれば、例えば、ＰＩＤ制御システムは、流量計３２によって検出された水の流量および温度センサ手段３８によって検出された水の温度を入力として受け取り、加熱装置２１の加熱要素２６，２７への電源供給およびポンプ３０の流量を出力として供給することができる。
【００９７】
特に、加熱された水の温度が同じである場合、制御およびコマンドユニット３４は、芳香混合物１１から抽出される物質の量を増減すべく、ポンプ３０の流量、したがって水の速度を増減できるため、飲料の強度を調整することができる。
【００９８】
例えば、制御およびコマンドユニット３４が、流量を変更するために、ポンプのモータの回転数を増加または減少させるように、ポンプ３０の供給電力に作用させることが提供され得る。
【００９９】
他の実施形態によれば、ポンプ３０は、上から注ぐ（ｐｏｕｒ−ｏｖｅｒ）浸出を実行するために、すなわち、芳香混合物１１からの物質を特にゆっくと抽出するために、パルスで水を送達するために選択的に活性化／非活性化されてもよい。
【０１００】
他の実施形態によれば、制御およびコマンドユニット３４は、特定のデューティサイクルに従って少なくとも１つの加熱要素２６，２７を選択的にオンオフして、加熱要素２６，２７を適切な温度に保つことができる。
【０１０１】
他の実施形態によれば、制御およびコマンドユニット３４は、実行される動作に従って加熱装置２１の温度を適切に調整するように、各加熱要素２６，２７を自律的かつ独立してオンオフする。
【０１０２】
例えば、加熱装置２１の温度は、ゆっくりとした予熱操作、温度維持、高温供給、またはその他に基づいて調節することができる。
ポンプ３０の流量と加熱装置２１の温度との両方、即ち水の流量と温度との両方を動的に変更できることにより、ユーザが選択したように飲料の所望の強度を得るために芳香混合物１１の物質の抽出を最適化することが可能であり、事前浸出工程を提供する必要がないため、高品質の要件を満たす。
【０１０３】
しかしながら、可能な変形例によれば、抽出された飲料を供給する前に、芳香混合物１１の事前浸出ステップを実行することが提供され得る。
他の実施形態によれば、ハウジング２０は、容器１５用の支持ベース３７を備える。
【０１０４】
可能な変形例によれば、支持ベース３７は、容器１５内に供給された飲料を温かく保つために制御およびコマンドユニット３４によって選択的に作動され得る追加の加熱手段３８を備えることができる。
【０１０５】
例えば、追加の加熱手段３８は、正の温度係数（ＰＣＴ：Ｐｏｓｉｔｉｖｅ  Ｃｏｅｆｆｉｃｉｅｎｔ  Ｔｅｍｐｅｒａｔｕｒｅ）を有する抵抗を含むことができる。
図示されていない、可能な実施形態によれば、使用される容器１５がカップまたはグラスの何れかである場合に、飲料の飛散を防止するために容器１５を飲料１４の出口に近づけるように構成された、折り畳み式または可動式の他の支持ベースを提供することができる。
【０１０６】
ここで説明する実施形態は、一方では選択された飲料をそれぞれの最適温度で供給し、他方では各飲料調製作業の終わりに装置１０を同じ状態に回復するために提供される飲料の調製方法に関する。
【０１０７】
本発明による飲料を調製する方法は、制御およびコマンドユニット３４において、ユーザインターフェース３５によってユーザが調製する飲料の種類および量に関するコマンドを受け取ることを提供する。
【０１０８】
受け取ったコマンドおよび記憶されたパラメータに基づいて、制御およびコマンドユニット３４は、選択された飲料に固有の水温および速度の値を決定し、ポンプ３０および加熱要素２１を選択的に作動させて上記の値を得ることができる。
【０１０９】
いくつかの実施形態によれば、飲料調製操作の開始時に、方法は、ポンプ３０を作動させて、少なくとも回路２２を、好ましくは少なくとも温度センサ手段２８まで水で満たすことを提供する。
【０１１０】
ポンプ３０を作動させるこのステップでは、加熱装置２１のスイッチを切ったままにすることができる。
続いて、この方法は、回路２２への水の供給を停止するようにポンプ３０を非作動とし、加熱装置２１を作動させて、その中の水を特定の温度値まで加熱することを提供する。
【０１１１】
これは、特に、ボイラー２４の特定の構成によって可能になり、そのおかげで、ポンプ３０が停止しも水がボイラー２４の内部に留まるため、迅速かつ効果的に加熱することができる。
【０１１２】
いくつかの実施形態によれば、温度センサ手段２８は、有利には、垂直パイプセグメントに配置され、その結果、ポンプ３０によって供給される水は、ポンプ３０が停止したときでもパイプ自体の内部に閉じ込められたままである。
【０１１３】
いくつかの実施形態によれば、加熱装置２１の急速な加熱を得るために、制御およびコマンドユニット３４は、２つ以上の加熱要素２６，２７の両方をオンにすることができる。
【０１１４】
続いて、加熱装置２１の下流の水が特定の温度値に達したとき、方法は、ポンプ３０を作動させ、その流量を調節して、芳香混合物１１を浸出し、選択された飲料を容器１５に供給する。
【０１１５】
いくつかの実施形態によれば、供給ステップの間、制御およびコマンドユニット３４は、特定の温度値を維持するために、加熱要素２６，２７の一方または両方を選択的にオンオフすることができる。
【０１１６】
飲料供給操作の終わりに、この方法は、ポンプ３０を停止し、回路２２内の水の供給を停止し、装置１０の初期状態を回復することを提供する。
いくつかの実施形態によれば、特に、この方法は、対流運動によって回路２２を空にしたり、回路２２内に残った水を空にしたりするのに適した期間にわたって加熱装置２１を作動させたままにして、回路２２を空にして乾燥させる。
【０１１７】
ボイラー２４の形態は、特に、蓄積領域２４ｃ内に残留水を蓄積することを可能にし、残留水が効果的に除去されることができる。
いくつかの実施形態によれば、空にするステップの間、制御およびコマンドユニット３４は、加熱要素２６，２７の一方または両方を選択的にオンオフすることができる。
【０１１８】
いくつかの実施形態によれば、空にするステップは、飲料の送達後にすぐに実行される。このようにして、水は無視できる期間、回路２２内に留まり、後続の飲料の望ましくない汚染を防ぐことができる。
【０１１９】
順次送出の場合、後続の送出のためのエネルギ消費を低減するため、各供給動作の終わりに加熱装置２１を作動した状態に保つことが有利である。
この場合、加熱装置２１は高温のままであるため、その後の送出のための水はより短い時間で所望の温度に達する。
【０１２０】
他の実施形態によれば、方法は、少なくとも選択された容器１５がジャグである場合に、追加の加熱手段３８を作動させて、供給された飲料を高温に保つことができる。
本発明の分野および範囲から逸脱することなく、これまでに説明された飲料を調製するための装置１０および方法に対して、部品の修正および／または追加を行うことができることは明らかである。
【０１２１】
本発明をいくつかの特定の例を参照して説明してきたが、当業者は、特徴を有する飲料を調製するための装置１０および方法の多くの他の同等の形態を確実に達成することができることも明らかである。特許請求の範囲に記載されているように、すべてが定義された保護の分野に含まれる。
【図１】
2021504006.tif 000003
【図２】
2021504006.tif 000004
【図３】
2021504006.tif 000005
【国際調査報告】
2021504006.tif 000006
2021504006.tif 000007
2021504006.tif 000008